(57)【要約】      （修正有）【課題】弦とは異なる音を響かせることを可能とする弦楽器用後付け楽器を提供する。【解決手段】先端側がギター５０のサウンドホール５１内に挿入され、基端側がサウンドホールの外側に出るようにギターに着脱自在に装着される支持部材２と、支持部材の先端部に取着されて加振により音を出すシンバル、鈴、カスタネット等の体鳴楽器３と、支持部材の、シンバルの取着個所と基端との中間部分に取着されてサウンドホールの縁５２に着脱自在に支持部材を固定するクリップ４とを備えた。支持部材の基端側を叩いたり、振動を加えたりすることで、弦楽器の内部で体鳴楽器を鳴らして大きな反響音を発生させることができ、弦の反響音と合わせて多彩な音楽表現が可能となる。【選択図】図３
0003187041.tif 000002
【実用新案登録請求の範囲】
【請求項１】
先端側が弦楽器のサウンドホール内に挿入され、基端側がサウンドホールの外側に出るようにギターに着脱自在に装着される支持部材と、
支持部材の先端部に取着されて加振により音を出す体鳴楽器と、
支持部材の内、体鳴楽器の取着個所と基端の中間部分に取着されて弦楽器のサウンドホールの縁に着脱自在に支持部材を固定する留め具と、
を備えたことを特徴とするサウンドホールを有する弦楽器用後付け楽器。
【考案の詳細な説明】
【技術分野】
【０００１】
本考案はサウンドホールを有する弦楽器用後付け楽器に係り、とくに振動で音が出るサウンドホールを有する弦楽器用後付け楽器に関する。
【背景技術】
【０００２】
従来から、ギターのサウンドホールに反響板を着脱自在に差込み、音色を２通り以上に変化させるようにした簡易脱着トルナボスの考案が提案されている（特許文献１参照）。けれども、この考案はあくまで弦の音色を変えるだけであり、全く異なる音を響かせることは出来なかった。
【先行技術文献】
【特許文献】
【０００３】
【特許文献１】特開２０１０−４４３３９号公報
【考案の概要】
【考案が解決しようとする課題】
【０００４】
本考案は上記した従来技術の問題に鑑みなされたもので、弦とは異なる音を響かせることを可能とするサウンドホールを有する弦楽器用後付け楽器を提供することを、その目的とする。
【課題を解決するための手段】
【０００５】
本考案では、先端側が弦楽器のサウンドホール内に挿入され、基端側がサウンドホールの外側に出るようにギターに着脱自在に装着される支持部材と、支持部材の先端部に取着されて加振により音を出す体鳴楽器と、支持部材の内、体鳴楽器の取着個所と基端の中間部分に取着されて弦楽器のサウンドホールの縁に着脱自在に支持部材を固定する留め具とを備えたこと、を特徴としている。
体鳴楽器には、シンバル、鈴、カスタネットなどを用いることができる。
【考案の効果】
【０００６】
本考案によれば、弦楽器のサウンドホールの縁に留め具で支持部材を装着し、支持部材の基端側を叩いたり、振動を加えたりすることで、弦楽器の内部で体鳴楽器を鳴らして大きな反響音を発生させることができ、弦の反響音と合わせて多彩な音楽表現が可能となる。
【図面の簡単な説明】
【０００７】
【図１】本考案の一実施例に係るギター用後付け楽器の平面図である（実施例１）。
【図２】図１のギター用後付け楽器の一部省略した側面図である。
【図３】図１のギター用後付け楽器の使用状態を示す一部省略した斜視図である。
【考案を実施するための最良の形態】
【０００８】
以下、本考案の最良の形態を実施例に基づき説明する。
【実施例１】
【０００９】
図１乃至図３を参照して本考案の一実施例を説明する。図１は本考案に係るギター用後付け楽器の平面図、図２はギター用後付け楽器の一部破断した側面図、図３はギター用後付け楽器の使用状態を示す一部省略した斜視図である。
これらの図中、１はギター用後付け楽器、２はプラスチック製の細長い板状の支持部材であり、先端２Ａがギター５０のサウンドホール５１の内部に挿入され、基端２Ｂがサウンドホール５１の外側に出るようにギター５０に着脱自在に装着可能となっている。３は支持部材２の先端部に取着された体鳴楽器の一例としてのシンバル、４は支持部材２の内、シンバル３の取り付け箇所と基端２Ｂとの間の部分に取着された留め具としてのクリップであり、サウンドホール５１の縁５２に支持部材２を着脱自在に固定する。クリップ４は金属製でバネ性を有する断面コ字状のクリップ本体５と、クリップ本体５の表面を覆い、ギター５０に傷が付かないようにするための繊維シート素材、ゴムシート素材などから成るカバー６とから形成されている。クリップ４はボルト７とナット８により支持部材２に取着されている。シンバル３は２枚の単体シンバル３０、３１を有している。そして、支持部材２と２枚の単体シンバル３０、３１を貫通するようにしてボルト３２が設けられており、ボルト３２の先端側で支持部材２と単体シンバル３０が２つのナット３３、３４で挟むようにして固定されている。単体シンバル３１はボルト３２の頭３５と単体シンバル３０の間でボルト３２の軸に沿って移動可能になっている。
【００１０】
次に、上記した実施例の使用方法を図３を参照して説明する。
シンバル３をギター５０のサウンドホール５１の中に挿入しながらクリップ４をサウンドホール５１の縁５２に押し込む。クリップ本体５の有するバネ性の復帰力によりクリップ４がサウンドホール５１の縁５２を挟持し、これにより支持部材２がギター５０に固定される。
この状態で、奏者が支持部材２の基端２Ｂの近くを指で叩いたり、振動を加えたりすると、クリップ４の支持部材２への取り付け個所近くを支点にして支持部材２の先端側が往復回動運動をし、シンバル３が加振されて音を鳴らす。シンバル３の音はギター５０の内部で反響し、サウンドホール５１から大きな反響音が発生する。
奏者がギター５０の弦６０乃至６５を指またはピックで弾けば、弦６０乃至６５の音はギター５０の内部で反響し、サウンドホール５１から大きな反響音が発生するので、前記シンバル３の反響音と合わせて多彩な音楽表現が可能となる。
使用後は、クリップ４をサウンドホール５１の縁５２から引き離すことで、簡単にギター用後付け楽器１をギター５０から外すことができる。
【００１１】
この実施例によれば、ギター５０のサウンドホール５１の縁５２にクリップ４で支持部材２を装着し、支持部材２の基端側を叩いたり、振動を加えたりすることで、ギター５０の内部でシンバル３を鳴らして大きな反響音を発生させることができ、弦６０乃至６５の反響音と合わせて多彩な音楽表現が可能となる。
また、クリップ４をサウンドホール５１の縁５２に押し込んだり、クリップ４を縁５２から引き離したりするだけで、簡単に着脱できる。
【００１２】
なお、上記した実施例では体鳴楽器としてシンバルを例に挙げたが、本考案は何らこれに限定されず、鈴、カスタネットなど他の種類の体鳴楽器を用いても良い。
また、留め具としてクリップを例に挙げたが、クランプなどの他の種類の留め具を用いてもよい。
また、支持部材は板状としたが、棒状、筒状など他の形状とすることもできる。
また、支持部材はプラスチック製としたが、木製など他の材質に代えても良い。
【産業上の利用可能性】
【００１３】
本考案は、サウンドホールを有する各種の弦楽器で、シンバル、鈴、カスタネットなどの体鳴楽器を後付けする場合に適用できる。
【符号の説明】
【００１４】
１  ギター用後付け楽器
２  支持部材
３  シンバル
４  クリップ
５０  ギター
５１  サウンドホール
５２  縁
【図１】
0003187041.tif 000003
【図２】
0003187041.tif 000004
【図３】
0003187041.tif 000005